(57)【特許請求の範囲】
【請求項１】
進化型ユニバーサル地上波無線アクセスネットワーク（ｅＵＴＲＡＮ）と通信するように構成されるユーザ機器（ＵＥ）であって、
送受信機と、
前記送受信機に結合されるプロセッサと
を備え、
前記プロセッサは、
干渉ｅＵＴＲＡＮ  Ｎｏｄｅ  Ｂ（干渉ｅＮＢ）及びサービングｅＮＢのうちの少なくとも一方から、前記干渉ｅＮＢが複数の送信パラメータを送信しているか否かについての指標を受信し、
前記干渉ｅＮＢと通信する１又は複数のＵＥに対する複数の送信パラメータの複数の指標を有するブロードキャストメッセージを受信し、
前記サービングｅＮＢからの物理ダウンリンク共有チャネル（ＰＤＳＣＨ）を含む送信を有する信号を前記サービングｅＮＢから受信し、
前記複数の送信パラメータに基づいて、前記信号から、前記干渉ｅＮＢからのＰＤＳＣＨをキャンセルするように構成され、
前記複数の送信パラメータの前記複数の指標は、前記干渉ｅＮＢによって準静的及び動的に前記１又は複数のＵＥに対してシグナリングもされ、
前記干渉ｅＮＢが複数の送信パラメータを送信しているか否かについての前記指標は、前記干渉ｅＮＢが複数の送信パラメータを送信しているか否かを示すビットを有するマスター情報ブロックを含む、前記干渉ｅＮＢ又は前記サービングｅＮＢからの物理ブロードキャストチャネル（ＰＢＣＨ）から受信され、前記干渉ｅＮＢが複数の送信パラメータを送信しているか否かを示すビットを有するシステム情報ブロックを含む、前記干渉ｅＮＢからのＰＤＳＣＨから受信され、又は、前記干渉ｅＮＢが複数の送信パラメータを送信しているか否かを示すビットを有するシステム情報ブロックを含む、前記サービングｅＮＢからの前記ＰＤＳＣＨから受信される、ＵＥ。
【請求項２】
前記プロセッサは、専用の無線リソース制御（ＲＲＣ）メッセージを介して、前記干渉ｅＮＢと通信する前記１又は複数のＵＥに対する複数の追加的な送信パラメータ、及び／又は、前記干渉ｅＮＢに関連する複数のパラメータを受信するように更に構成される、請求項１に記載のＵＥ。
【請求項３】
前記複数の追加的な送信パラメータは、協働する可能性のある送信及び／又は受信ポイントに関連する複数のセルアイデンティティのセットを含む、請求項２に記載のＵＥ。
【請求項４】
前記干渉ｅＮＢに関連する前記複数のパラメータは、セル固有の送信電力パラメータを含む、請求項２又は３に記載のＵＥ。
【請求項５】
前記複数の送信パラメータは、変調次数、物理リソースブロック（ＰＲＢ）割り当て、プリコーディングマトリクス指標（ＰＭＩ）、ランク指標（ＲＩ）、変調及び符号化方式（ＭＣＳ）及び冗長バージョンを含み、前記変調次数は、圧縮バイナリコードにより示される、請求項１から４のいずれか一項に記載のＵＥ。
【請求項６】
前記複数の送信パラメータは、複数の基準信号固有の送信パラメータを含む、請求項１から５のいずれか一項に記載のＵＥ。
【請求項７】
前記プロセッサは、前記サービングｅＮＢと通信するための複数のリソースブロック（複数のＲＢ）の指標を受信するように構成され、前記複数のＲＢは、全ての可能なサブバンドよりも小さい複数のサブバンドのセットに制限される、請求項１から６のいずれか一項に記載のＵＥ。
【請求項８】
前記制限される複数のサブバンドのセットは、利用可能な帯域幅全体にわたって分散される、請求項７に記載のＵＥ。
【請求項９】
前記プロセッサは、シンボルレベルキャンセルを用いて、前記干渉ｅＮＢに関連する前記ＰＤＳＣＨをキャンセルするように構成される、請求項１から８のいずれか一項に記載のＵＥ。
【請求項１０】
支援シグナリングを受信するための方法であって、
無線通信デバイスが、第１の基地局に、通信可能に結合する段階と、
前記無線通信デバイスが、第２の基地局が複数の結合パラメータを送信しているか否かを示すビットを含む情報ブロックを前記第２の基地局から受信する段階と、
前記無線通信デバイスが、前記第２の基地局から複数の結合パラメータを受信する段階であって、前記複数の結合パラメータは、前記第２の基地局と通信するときに前記無線通信デバイスにより用いられる複数の設定を示す、段階と、
前記無線通信デバイスが、前記無線通信デバイスの前記複数の結合パラメータに従って複数の他の通信からの干渉を取り除くべく、前記第１の基地局からの複数の通信を修正する段階と
を備える、方法。
【請求項１１】
前記無線通信デバイスが、複数の追加的な結合パラメータを示す上位レベルシグナリングを受信する段階を更に備える、請求項１０に記載の方法。
【請求項１２】
前記無線通信デバイスが、複数の結合パラメータを受信する段階は、前記無線通信デバイスが、前記無線通信デバイスに固有の電力パラメータを受信する段階を含む、請求項１０又は１１に記載の方法。
【請求項１３】
前記無線通信デバイスが、複数の結合パラメータを受信する段階は、前記無線通信デバイスが、複数の仮想リソースブロック割り当てが局在するか又は分散するかの指標を受信する段階を有する、請求項１０から１２のいずれか一項に記載の方法。
【請求項１４】
前記無線通信デバイスが、複数の結合パラメータを受信する段階は、前記無線通信デバイスが、送信方式の指標を受信する段階を有する、請求項１０から１３のいずれか一項に記載の方法。
【請求項１５】
前記無線通信デバイスが、前記第１の基地局から送信スケジュールを受信する段階を更に備え、前記送信スケジュールは、送信に利用可能な全ての周波数より少ない周波数を含む、請求項１０から１４のいずれか一項に記載の方法。
【請求項１６】
無線通信デバイスであって、
回路を備え、
前記回路は、
複数の通信設定が送信されるか否かを示すビットを含む情報ブロックを有するブロードキャストを受信する段階と、
複数の時間周波数ブロックに対する前記複数の通信設定の複数の指標を受信し、
前記複数の通信設定を用いて複数の干渉する通信をデコードし、
前記複数の干渉する通信をキャンセルすることにより、前記無線通信デバイスに対する複数の通信をデコードするように構成され、
前記複数の指標は、下位レベルシグナリングを介して送信される、無線通信デバイス。
【請求項１７】
前記複数の通信設定の複数の指標は、総送信レイヤの指標を含む、請求項１６に記載の無線通信デバイス。
【請求項１８】
前記複数の通信設定の複数の指標は、基地局基準信号に対するプリコーダの指標を含む、請求項１６又は１７に記載の無線通信デバイス。
【請求項１９】
前記複数の通信設定の複数の指標は、複数の時間周波数ブロック間のギャップの指標を含む、請求項１６から１８のいずれか一項に記載の無線通信デバイス。
【請求項２０】
前記回路は、上位レイヤメッセージを介してセル固有の電力パラメータを受信するように構成される、請求項１６から１９のいずれか一項に記載の無線通信デバイス。
【発明の詳細な説明】
【技術分野】
【０００１】
関連出願
この出願は、２０１４年１月６日に出願された米国仮特許出願第６１／９２４，１９４号の優先権及び利益を主張し、ここで、出願全体における本明細書の参照により組み込まれる。
【０００２】
本開示は、無線ネットワークにおけるスペクトル効率を向上させるためのシステム、方法及びデバイスに関する。
【図面の簡単な説明】
【０００３】
【図１】マクロｅＮＢのカバレッジエリア内のスモールｅＮＢに結合されるＵＥを備えるシステムの概略図である。
【０００４】
【図２】ＩＣを実行するべく、動的な支援シグナリングメッセージ内の複数のビットをＵＥに必要な複数の送信パラメータに関連付けたビットマップである。
【０００５】
【図３】サービングｅＮＢと通信可能に結合され、かつ、干渉ｅＮＢからの強い信号を受信するＵＥを含むシステムの概略図である。
【０００６】
【図４】ｅＮＢと通信するべく、ＵＥにより利用され得る時間周波数無線リソースの概略図である。
【０００７】
【図５】ＩＣを実行するためのネットワーク支援シグナリングを受信するための方法のフロー図である。
【０００８】
【図６】ＩＣを実行するための動的な支援シグナリングを受信することが可能なＵＥの概略図である。
【発明を実施するための形態】
【０００９】
無線モバイル通信技術は、様々な規格及びプロトコルを利用して、基地局と無線通信デバイスとの間でデータを送信する。無線通信システム規格及びプロトコルは、例えば、第３世代パートナーシッププロジェクト（３ＧＰＰ）ロングタームエボリューション（ＬＴＥ）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭＡＸ（登録商標））として業界団体に一般的に知られているＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６規格、及びＷｉ−Ｆｉ（登録商標）として業界団体に一般的に知られているＩＥＥＥ８０２．１１規格を含むことができる。ＬＴＥシステムにおける複数の３ＧＰＰ無線アクセスネットワーク（ＲＡＮ）において、基地局は、進化型ユニバーサル地上波無線アクセスネットワーク（Ｅ−ＵＴＲＡＮ）ノードＢ（進化型ノードＢ、拡張型ノードＢ、ｅＮｏｄｅＢ又はｅＮＢとしても一般的に示される）及び／又はＥ−ＵＴＲＡＮにおける無線ネットワークコントローラ（ＲＮＣ）を含んでよく、これらは、ユーザ機器（ＵＥ）として知られる無線通信デバイスと通信する。ＬＴＥネットワークにおいて、Ｅ−ＵＴＲＡＮは、複数のｅＮｏｄｅＢを含んでよく、複数のＵＥと通信してよい。進化型パケットコア（ＥＰＣ）は、インターネットのような外部のネットワークにＥ−ＵＴＲＡＮを通信可能に結合してよい。
【００１０】
ＬＴＥネットワークは、高データレート、低レイテンシ、パケット最適化及び改善されたシステム容量及びカバレッジを提供する無線アクセス技術及びコア無線ネットワークアーキテクチャを含む。ＬＴＥネットワークにおいて、ｅＮＢは、重複するカバレッジエリアを有し得る。例えば、ＵＥは、ＵＥが結合されている第１のｅＮＢ（例えば、第１のマクロセル）のセル端近くに存在し、ひいては、第２のｅＮＢ（例えば、第２のマクロセル）から、及び／又は、第２のｅＮＢに結合される他のＵＥから干渉を受信し得る。別の例において、スモールセル（例えば、マイクロセル、ピコセル、フェムトセル等）である第１のｅＮＢは、部分的に又は全体的に、マクロセルである第２のｅＮＢのカバレッジエリア内に存在してよい。時間周波数リソースブロックが一般的に用いられるときに、スモールセルとマクロセルとの間に、実質的な干渉が存在してよい。干渉オールモストブランクサブフレーム（ａｌｍｏｓｔ  ｂｌａｎｋ  ｓｕｂｆｒａｍｅｓ：ＡＢＳ）を軽減することは、ＵＥがスモールセルと通信中であるときに、マクロセルにより利用されてよい。
【００１１】
いくつかの例において、ＵＥ及び／又はｅＮＢのジオメトリー（ｇｅｏｍｅｔｒｙ）及び／又はスループットは、マクロセルよりもむしろスモールセルにＵＥを結合することにより改善され得る。ＵＥは、セル範囲拡張（ＣＲＥ）モードをサポートしてよく、たとえより良い信号がマクロセルから受信されていても、スモールセルに結合してよい。ＵＥは、ラージセルと比較して、スモールセルについて、９デシベル（ｄＢ）より大きいハンドオーババイアスを有してよい。しかし、ＣＲＥ  ＵＥは、非常に低いジオメトリー（例えば、低い信号対干渉雑音比（ＳＩＮＲ））を有する可能性があり、ひいては、ＡＢＳ上にスケジューリングされるのみに制限され得る。したがって、ＣＲＥからの利得は、特に高スループットＵＥに対して、より高いＡＢＳレートによってオフセットされ、及び／又は、完全に打ち消される。いくつかの例において、性能は、劣化することすらあり得る。したがって、特に、ＵＥがＣＲＥモードであるときに、利用可能なスペクトルをより効率的に使用するべく、セルを重複させる必要がある。
【００１２】
ＵＥが、干渉キャンセル（ＩＣ）を利用して、隣接ｅＮＢ及び／又は他のＵＥからの干渉を取り除くことができれば、ＡＢＳレートは、低減され、及び／又は、除去され得る。カバレッジエリアが重複するマクロセル及びスモールセルは、大きなＣＲＥバイアスを用いるＵＥと通信している間でさえも、同一の時間周波数リソースを利用してよい。実際には、大きなＣＲＥバイアスは、スモールセルアタッチレートを高める（それに応じて、潜在的により高いトラヒックオフロード利得を提供する）こと、及び、干渉ｅＮＢ（例えば、マクロｅＮＢ）から受信される強い干渉信号に起因する干渉キャンセルを改善することにより有益であってよい。したがって、マクロｅＮＢ及びスモールｅＮＢのスペクトル効率は、ＩＣをサポートすることにより改善され得る。
【００１３】
いくつかの実施形態において、ＵＥは、物理ダウンリンク共有チャネル（ＰＤＳＣＨ）ＩＣ受信機を含んでよいが、強い干渉が、複数のサブフレームの制御領域（例えば、物理ダウンリンク制御チャネル（ＰＤＣＣＨ））に残り得る。ＵＥが、制御情報なしで、かつ、ＡＢＳを用いることなく、ＰＤＳＣＨをデコードすることは、困難であり得る。実施形態において、この問題は、ＵＥにて強いＰＤＣＣＨ干渉を処理することが可能な進展されたＰＤＣＣＨ受信機を含むことにより解決され得る。代替的に、又は、加えて、クロスサブフレームスケジューリングが用いられてよい。いくつかのＡＢＳは、ＰＤＳＣＨ‐ＩＣ受信機なしでレガシーＵＥをサポートしたままでよい。したがって、ＡＢＳは、ＵＥを対象としたＰＤＳＣＨ（例えば、非ＡＢＳで送信されるＰＤＳＣＨ）のためのダウンリンクスケジューリング情報を送信するのに用いられてよい。
【００１４】
ＵＥがＩＣを利用するために、各干渉ＰＤＳＣＨに固有の複数の送信パラメータ及び各干渉ｅＮＢに対する複数のセル固有のパラメータは、干渉ｅＮＢ（例えば、マクロｅＮＢ）から、又は、サービングｅＮＢからＵＥ（例えばＣＲＥ  ＵＥ）へシグナリングされる必要があり得る。いくつかのｅＮＢは、非理想的なバックホールで他のｅＮＢに結合され得るので、集中型スケジューリング、並びに／又は、スケジューリング及び／若しくはチャネル状態情報の交換は、必ずしも常に生じなくてもよい。したがって、干渉ｅＮＢは、例えば、スケジューリング情報を含むメッセージを（例えば、ＰＤＳＣＨを介して）ブロードキャストすることにより、干渉サブフレーム毎のスケジューリング情報を動的に提供してよい。リソースを節約するために、スケジューリング情報は、コンパクト及び／又は圧縮フォーマットで送信されてよい。更に、複数の追加的なパラメータが、専用の上位レイヤ支援シグナリングを用いて（例えば、複数の無線リソース制御（ＲＲＣ）メッセージを介して）送信されてよい。例えば、複数の追加的なパラメータは、更に拡張されたセル間干渉連携（ｆｕｒｔｈｅｒ  ｅｎｈａｎｃｅｄ  ｉｎｔｅｒ−Ｃｅｌｌ  ｉｎｔｅｒｆｅｒｅｎｃｅ  ｃｏｏｒｄｉｎａｔｉｏｎ：ＦｅＩＣＩＣ）に関して、ＬＴＥリリース１１により規定された上位レイヤシグナリングを用いて、サービングｅＮＢ（例えば、スモールｅＮＢ）により準静的に送信されてよい。代替的に、サービングｅＮＢが低レイテンシバックホールを介して干渉ｅＮＢに接続されるとき、及び／又は、１又は複数の干渉ＰＤＳＣＨに対する複数の送信パラメータが特定の期間（例えば、予め定められた期間）に変更されなかったとき等において、サービングｅＮＢは、１又は複数の干渉ＰＤＳＣＨに関連する複数の送信パラメータをシグナリングしてよい。
【００１５】
複数の送信パラメータは、各干渉ＰＤＳＣＨに固有の複数のパラメータを含んでよい。ＰＤＳＣＨ送信に関連する複数のパラメータは、動的なシグナリング及び／又は準静的な上位レイヤシグナリングを介して、対象となるＵＥに示されてよい。例えば、動的なシグナリングにより示される複数の動的なパラメータは、物理リソースブロック（ＰＲＢ）割り当て、プリコーディングマトリクス指標（ＰＭＩ）、ランク指標（ＲＩ）、変調及び符号化方式（ＭＣＳ）、冗長バージョン、及び／又は同様のものを含んでよい。準静的な上位レイヤシグナリングにより示される複数の準静的なパラメータは、送信モード（ＴＭ）、ＵＥ固有の電力パラメータ（例えば、３ＧＰＰ  ＴＳ  ３６．２１３  ｖ．１２．２におけるＰＡ）、及び／又は同様のものを含んでよい。複数のＰＤＳＣＨコードワードは、スクランブルシーケンスによりスクランブルされてよく、シーケンス発生器の初期設定値は、セルアイデンティティ（セルＩＤ）及び無線ネットワーク一時識別子（ＲＮＴＩ）に依存してよい。ＵＥ固有の基準信号（ＲＳ）に基づくチャネル推定のために、セルＩＤ及びＲＮＴＩは、アンテナポート５に必要であってよく、スクランブルＩＤ（ＳＣＩＤ）、
0006263828.tif 000002
、（上位レイヤシグナリングを介して送信され得る仮想セルＩＤ、ここで、ＤＭＲＳは、復調基準信号を表す）、及びｎＳＣＩＤ（動的なシグナリングを介して送信され得るＤＭＲＳポート）は、アンテナポート７−１４に必要であってよい。
【００１６】
各干渉セルに固有の複数の送信パラメータは、セルＩＤ、ＣＲＳポートの数、マルチキャストブロードキャスト単一周波数ネットワーク（ＭＢＳＦＮ）サブフレーム構成及び／又は同様のもの等、セル固有のＲＳ（ＣＲＳ）ＩＣ及び／又は物理ブロードキャストチャネル（ＰＢＣＨ）ＩＣを有効にするために、ＦｅＩＣＩＣネットワーク支援シグナリングを通じて提供される複数のパラメータを含んでよい。干渉セルに対する物理制御フォーマット指標チャネル（ＰＣＦＩＣＨ）の制御フォーマット指標（ＣＦＩ）は、シグナリングされたセルＩＤ及びアンテナポートの数を用いて検出されてよく、当該ＣＦＩは、干渉セルのＰＢＣＨのデコードから取得されてもよい。（ＰＣＦＩＣＨは、ＰＢＣＨとして複数のアンテナポートの同一のセットで送信されてよい。）本明細書で説明された様々な送信パラメータについての追加の情報は、仕様書、３ＧＰＰ  ＴＳ  ３６．２１１、ｖ．１２．２及び３ＧＰＰ  ＴＳ  ３６．３１２、ｖ．１２．２並びにそれぞれの旧バージョンで見つけられ得る。
【００１７】
実施形態において、ＵＥは、干渉ＰＤＳＣＨに関連するＰＤＣＣＨをデコードして、干渉ＰＤＳＣＨの複数の送信パラメータを取得してよい。しかし、これは、全ての可能なＲＮＴＩ値にわたってデコードすることを要求してよい。したがって、干渉ＰＤＳＣＨのスケジューリング情報を搬送し得るＰＤＣＣＨのブラインドデコードは、実質的に実現可能でなくてよく、及び／又は、リソース集中（例えば、ＵＥからのかなり大きな電力の消費）であってよい。更に、ＰＤＣＣＨを成功裏にデコードした後でも、いくつかの送信パラメータ（例えば、最新の報告されたＰＭＩに従って決定されるプリコーダ）は、ダウンリンク制御情報（ＤＣＩ）から取得可能でなくてよい。しかし、大きなＣＲＥバイアスを用いた実施形態において、マクロセルアタッチ割合は、（例えば、一例において、非ＣＲＥの場合の４６％から１８ｄＢのＣＲＥバイアスの場合の１７．４％へ）著しく低下する可能性があり、マクロ−ＵＥのジオメトリーが向上する可能性がある。したがって、マクロｅＮＢのいくつかの無線リソースは、当該マクロｅＮＢに結合される複数のＵＥの性能を著しく失うことなくＰＤＳＣＨ‐ＩＣに対する支援シグナリングを送信するのに用いられてよい。動的な支援シグナリングは、複数のＩＣ受信機を用いた任意のセル間干渉シナリオに適用されてよい。
【００１８】
低減された複数の送信パラメータのセットは、動的な支援シグナリングとしてＵＥに提供されてよく、動的及び準静的なパラメータの両方が動的な支援シグナリングに含まれてよい。上位レイヤ支援シグナリングを介して送信された複数のパラメータは、含まれなくてよい。加えて、含まれる複数の送信パラメータは、コンパクト及び／又は圧縮フォーマットで送信されてよい。低減された複数の送信パラメータのセットは、干渉ｅＮＢからＵＥに送信されてよい。例えば、複数の送信パラメータを有するブロードキャストメッセージを搬送するＰＤＳＣＨは、干渉キャンセル−ＲＮＴＩ（ＩＣ−ＲＮＴＩ）を用いてスクランブルされてよく、干渉キャンセル−ＲＮＴＩ（ＩＣ−ＲＮＴＩ）は、固定値であってよい。ＵＥが、（例えば、ターボ受信機を用いて）コードワードレベル干渉キャンセルを実行するために、干渉ＰＤＳＣＨのＲＮＴＩ（例えば、１６ビットのサイズ）のシグナリングが必要である可能性があり、それは、シグナリングのオーバヘッドを著しく増加させる可能性がある。したがって、シグナリングのオーバヘッドは、干渉ＰＤＳＣＨのＲＮＴＩを除外することに、及び、ＵＥが、代わりに、シンボルレベルＩＣを実行することを想定することにより、低減されてよい。代替的な実施形態において、ＲＮＴＩは、シグナリングに含まれてよい。
【００１９】
実施形態において、動的な支援シグナリングは、５０リソースブロック（ＲＢ）未満のダウンリンク（ＤＬ）帯域幅を有するシステムに対して、１つのＰＲＢ信号あたり２０ビットを含んでよく、５０ＲＢと等しい又は５０ＲＢより大きいＤＬ帯域幅に対して、１つのＰＲＢ信号あたり２１ビットを含む信号を含んでよい。複数のパラメータは、各サブフレームの第１のスロット内のＰＲＢに対応してよく、第２のスロット内の複数のＰＲＢに対する複数の送信パラメータは、明示的にシグナリングされるのではなく、対応するサブフレームの第１のスロット内の複数のＰＲＢに対する複数の送信パラメータから暗黙的に決定されてよい。
【００２０】
例えば、信号の最初の３つのビット（ａ０，ａ１，ａ２）は、ＵＥ固有の電力パラメータＰＡを含んでよい。ＰＡに対する８つの可能な値は、実施形態において、［−６，−４．７７，−３，−１．７７，０，１，２，３］ｄＢであってよい。第４ビット（ａ３）は、複数の仮想リソースブロック（ＶＲＢ）割り当てが局在するか、又は、分散するかを示してよい。ＶＲＢ割り当てが局在する場合、第１のスロット内のＰＲＢ毎の複数の送信パラメータは、対応するＰＲＢペアに適用されてよい。第５ビット及び第６ビット（ａ４，ａ５）は、送信方式を示してよい。実施形態において、１つのＰＢＣＨアンテナポートがあり、送信方式がＵＥ固有のＲＳベース送信として示されていない場合、ポート０を用いた単一アンテナポートの送信方式が想定され得る。複数のビット値から送信方式へのマッピングの実施形態が表１に含まれる。
【表１】
0006263828.tif 000003
【００２１】
第７ビットから第１３ビット（ａ６，ａ７，・・・ａ１２）は、変調次数及び／又はコードワード（ＣＷ）の数を示してよい。例えば、実施形態における１２０個の様々な変調次数とコードワードの数との複数の組み合わせ（例えば、４つのコードワードについて８１個の例、３つのコードワードについて２７個の例、２つのコードワードについて９個の例、及び、１つのコードワードについて３つの例）があってよい。したがって、７つのビットは、様々なコンパクトな、低エントロピ符号化であってよい。複数のビット値から変調次数及びコードワードの数へのマッピングの実施形態が表２に含まれる。
【表２】
0006263828.tif 000004
【００２２】
第１４ビットから第１６ビット（ａ１３，ａ１４，ａ１５）は、総送信レイヤの数を示してよく、マルチユーザ多入力多出力（ＭＵ−ＭＩＭＯ）構成を含む。ＵＥ固有のＲＳベース送信について、最大で８つのレイヤが存在してよい。ＣＲＳベース送信について、最大で４つのレイヤが存在してよい。ＰＤＳＣＨの送信に用いられる複数のアンテナポートは、ＰＢＣＨ用の複数のアンテナポートのセットと同一であってよい。送信方式（及び、それがどのＲＳベース送信方式であるか、例えば、ＵＥ固有のＲＳベースなのか又はＣＲＳベースなのか）が、支援シグナリングの他の要素から識別可能であってよいので、３つのビットのみが必要とされてよい。ＣＲＳベース送信について、第１４ビット（ａ１３）は、リザーブされてよい。
【００２３】
第１７ビットから第２０ビット（ａ１６，ａ１７，ａ１８，ａ１９）は、ＵＥ固有のＲＳベース送信が用いられているか又はＣＲＳベース送信が用いられているかに応じて、異なる意味を有してよい。ＵＥ固有のＲＳベース送信について、第１７ビットから第１９ビット（ａ１６，ａ１７，ａ１８）は、スクランブルＩＤ（例えば、仮想セルＩＤ）、
0006263828.tif 000005
を示してよく、第２０ビット（ａ１９）は、総送信レイヤ及びコードワードの所与の数に対する２つの可能な例を区別してよい。実施形態において、ポート７又は８が用いられることがブラインド推定されることが想定されてよい。複数のＵＥ固有のＲＳベース送信について様々な例の実施形態が表３に含まれる。
【表３】
0006263828.tif 000006
【００２４】
ＣＲＳベース送信について、第１７ビットから第２０ビット（ａ１６，ａ１７，ａ１８，ａ１９）は、複数のプリコーダを示してよい。アンテナポート｛０，１｝又は｛０，１，２，３｝上に最大で１６個のプリコーダがあってよい。
【００２５】
第２１ビット（ａ２０）は、分散ＶＲＢ割り当てに対するＲＢギャップ値を示してよい。この要素は、システム帯域幅が５０ＰＲＢ又はそれより大きい場合にのみ、存在してよい。ＶＲＢ割り当てが分散するとき、ゼロの値は、Ｎｇａｐ＝Ｎｇａｐ，１を示してよく、１の値は、Ｎｇａｐ＝Ｎｇａｐ，２を示してよい。ＶＲＢ割り当てが局在するとき、この要素は、リザーブされてよい。様々な他のビットの順番及び／若しくは組み合わせ、並びに／又は、様々な他のマッピングが他の実施形態において用いられてよい。
【００２６】
複数の追加的なパラメータは、サービングｅＮＢによりＵＥに提供されてよい。サービングｅＮＢは、上位レイヤシグナリング（例えば、ＲＲＣメッセージ）を用いて、複数の追加的なパラメータを送信してよい。例えば、サービングｅＮＢは、上位レイヤシグナリングを介してセル固有の電力パラメータＰＢを送信してよい。サービングセルは、更に、又は代わりに、
0006263828.tif 000007
の複数の候補セルＩＤのセットを送信してよく、当該複数の候補セルＩＤのセットは、協働する可能性のある送信及び／又は受信ポイントに関連する複数のセルＩＤのセット（例えば、８つのセルＩＤ及び／又は同様のもの）より少なくてよい。
【００２７】
システムが重い負荷がかかるとき、及び／又は、ＣＲＥなしのスモールセルアタッチレートが低いときに、顕著な利得は、大きなＣＲＥバイアス及びＰＤＳＣＨ‐ＩＣから実現されてよい。小量から適量のハンドオーババイアス（例えば、〜０−６ｄＢ）を用いたマクロｅＮＢとスモールｅＮＢとの間で共有する時間領域リソースは、僅かな負荷のシステムにトラヒックをサービス提供するのに十分良好であり得る。したがって、支援シグナリングをモニタリングし、かつ、ＩＣを実行することからの不必要なＵＥの電力消費は、ＡＢＳを用いることにより、かつ、支援シグナリングが送信されていないことをＵＥに示すことにより回避され得る。ＣＲＥ  ＵＥは、干渉ｅＮＢのＰＢＣＨをデコードしてＰＢＣＨ−ＩＣを実行するのに必要とされ得る。実施形態において、ＰＢＣＨで送信されるマスター情報ブロック（ＭＩＢ）は、１０個の予備ビットを有してよい。したがって、１つのビットは、ＩＣ−ＲＮＴＩによりスクランブルされたＰＤＣＣＨ及び／又はＰＤＳＣＨをモニタ及びデコードするか否か（例えば、ブロードキャスト支援メッセージが送信されているか否か）をＣＲＥ  ＵＥに通知する指標として用いられてよい。ＣＲＥ  ＵＥは、サービングｅＮＢからのＰＢＣＨよりもはるかに高い電力で、干渉ｅＮＢからＰＢＣＨを受信してよい。しかし、同種ネットワークについて、サービングｅＮＢのＭＩＢ及び／又はシステム情報ブロック（ＳＩＢ）上で指標ビットを搬送することがより信頼できる。サービングｅＮＢがそうするために、干渉ｅＮＢは、Ｘ２インタフェースを介して準静的に動的な支援シグナリングを送信するか否かをサービングｅＮＢに通知する必要があり得る。
【００２８】
動的なネットワーク支援シグナリングのオーバヘッドは、いくつかのサブフレーム上の周波数領域において限定されたサブバンドのセットに対して、複数のＣＲＥ  ＵＥに割り当てられた潜在的な複数のリソースを制限することにより、更に低減され得る。例えば、１００個のＲＢのＤＬシステム帯域幅に対して、複数のＣＲＥ  ＵＥが帯域幅全体を介してスケジューリングされることが可能である場合に、２１００個のビットが複数のＣＲＥ  ＵＥに送信される必要があり得る。支援情報のサイズは、スケジューリング可能なＰＲＢの数とともに線形的に増加し得るので、シグナリングオーバヘッドは、複数のＣＲＥ  ＵＥがスケジューリングされ得る複数の周波数リソースを制限することによって大幅に低減され得る。周波数選択スケジューリングは、帯域幅全体を介して分散される複数のサブバンドを選択することにより、依然として実現可能であってよい。選択された複数のサブバンドに対するサブフレーム間周波数ホッピング及び／又はスタガリングは、チャネルダイバーシチを活用するのに更に役立ち得る。
【００２９】
加えて、複数のＣＲＥ  ＵＥに対する複数のリソースの割り当てに周波数領域の制限を適用することは、複数のマクロＵＥを保護し得る。ＣＲＥ  ＵＥが受信機でＩＣを実行し得る一方、複数のマクロＵＥは、複数のスモールセルｅＮＢからの干渉をキャンセルしなくてよい。更に、複数の非ＣＲＥ  ＵＥと対比して、より高い送信電力が複数のＣＲＥ  ＵＥと通信するためにスモールｅＮＢから要求されてよい。したがって、それは、できるだけ複数のＣＲＥ  ＵＥによって用いられていない複数のサブバンド上に複数の低ジオメトリーのマクロＵＥをスケジューリングするのに有益であってよい。マクロｅＮＢは、複数のスモールｅＮＢからの負荷情報及びそれ自身のシステム負荷に基づいて、複数のＣＲＥ  ＵＥに対する周波数領域のスケジューリング制限を決定してよい。当該ｅＮＢは、Ｘ２インタフェースを介して複数のスモールセルｅＮＢに、その決定をシグナリングしてよい。実施形態において、周波数領域のスケジューリング制限は、複数のＣＲＥ  ＵＥのみに適用されてよい。スモールｅＮＢと結合される複数の非ＣＲＥ  ＵＥは、任意のサブバンドにスケジューリングされ得るので、マクロｅＮＢとスモールｅＮＢとの間で再利用する全周波数が、依然として実現可能であってよい。
【００３０】
図１は、マクロｅＮＢ１１０のカバレッジエリア内のスモールｅＮＢ１２０に結合されるＵＥ１３０を備えるシステム１００の概略図である。ＵＥ１３０は、ＣＲＥモードであってよく、そのため、マクロｅＮＢ１１０からの強い信号を受信しているのをよそに、スモールｅＮＢ１２０と結合されてよい。ＵＥ１３０は、マクロｅＮＢ１１０及び／又はマクロｅＮＢ１１０に結合される別のＵＥ１４０からの干渉を受信してよい。ＡＢＳの使用を回避するべく、ＵＥ１３０は、マクロｅＮＢ１１０からＰＤＳＣＨ干渉をキャンセルすることを要求され得る。ＵＥ１３０が、マクロｅＮＢ１１０からの干渉をキャンセルするべく、それについての複数の送信パラメータを知る必要があるので、マクロｅＮＢ１１０は、ＵＥ１３０と干渉する複数のＰＤＳＣＨ  ＰＲＢについての複数の送信パラメータを有する１又は複数メッセージをブロードキャストしてよい。ＵＥ１３０は、複数の送信パラメータを用いて、マクロｅＮＢ１１０からのＰＤＳＣＨをデコードし、受信した信号からそれをキャンセルし、スモールｅＮＢ１２０からのＰＤＳＣＨをデコードしてよい。実施形態において、ＵＥ１３０は、シンボルレベルＩＣを用いて、マクロｅＮＢ１１０からの干渉をキャンセルしてよい。
【００３１】
図２は、ＵＥがＩＣを実行するために必要な複数の送信パラメータに対する動的な支援シグナリングメッセージ内の複数のビットに関連するビットマップ２００である。動的な支援シグナリングは、干渉ｅＮＢと干渉ＵＥとの間の通信に用いられるＰＤＳＣＨの複数の送信パラメータを示し得る。最初の３つのビットは、ＵＥ固有の電力パラメータＰＡに対する値を示し得る。３つのビットの各値は、事前に定義され、及び／又は、予め定められた電力レベルに対応し得る。第４ビットは、複数のＶＲＢ割り当てが局在するか又は分散するかを示し得る。第５ビット及び第６ビットは、干渉ｅＮＢと干渉ＵＥとの間の通信に用いられ得る送信方式を示し得る。第７ビットから第１３ビットは、コードワードの数及びこれらのコードワードのそれぞれについて用いられる変調方式を示し得る。第１４ビットから第１６ビットは、送信レイヤの数を示し得る。第１７ビットから第２０ビットは、前のビットがＵＥ固有のＲＳベース送信又はＣＲＳベース送信が用いられていたことを示すかどうかに応じて、複数のＵＥ固有のＲＳベース送信パラメータ又は複数のＣＲＳベース送信パラメータを示し得る。最後の第２１ビットは、システム帯域幅が少なくとも５０ＲＢであるときに含まれてよい。第２１ビットは、ＲＢギャップ値を示し得る。
【００３２】
いくつかの及び／又は全ての前述した複数の送信パラメータについて、そのパラメータを表す要素の値は、複数の送信パラメータの圧縮された、及び／又は、コンパクトな表示であるように選択されてよい。実施形態において、送信パラメータのあらゆる可能な構成を表すのに必要な最小数のビット（例えば、その送信パラメータに対するあらゆる可能な構成の２を底とする対数の天井関数）が用いられてよい。ＵＥは、それと通信される複数のビット値を用いて、ＵＥと干渉する１又は複数ＰＤＳＣＨに対する複数の送信パラメータを決定することが可能であってよい。いくつかのパラメータは、更に、又は代わりに、上位レイヤシグナリングを通じてＵＥに提供されてよい。ＵＥは、受信した複数の送信パラメータを用いてＰＤＳＣＨ上の干渉をデコード及びキャンセルすることが可能であってよい。
【００３３】
図３は、サービングｅＮＢ３２０と通信可能に結合され、干渉ｅＮＢ３１０からの強い信号を受信するＵＥ３３０を含むシステム３００の概略図である。干渉ｅＮＢ３１０は、Ｘ２インタフェースを介してサービングｅＮＢ３２０に通信可能に結合されてよい。干渉ｅＮＢ３１０は、ＩＣに対する複数のパラメータをＵＥ３３０に送信することが可能であってよい。ＩＣを実行することをＵＥ３３０に要求することがＡＢＳを使用すること以上に利益が少なく又は何の利益もない場合、干渉ｅＮＢ３１０は、動的なネットワーク支援シグナリングを無効にすることが可能であってよい。干渉ｅＮＢ３１０は、干渉ｅＮＢ３１０がＩＣに対する複数のパラメータをブロードキャストするか否かをＵＥ３３０に示してよい。例えば、干渉ｅＮＢ３１０は、ＩＣに対する複数のパラメータがブロードキャストされるか否かを示すビットを含むＭＩＢを有するＰＢＣＨ、又は、ＳＩＢを有するＰＤＳＣＨを送信してよい。いくつかの例において、干渉及びサービングｅＮＢ３１０、３２０の両方がマクロセルであるときのように、それは、サービングｅＮＢ３２０にとって、動的なネットワーク支援シグナリングが有効であるか否かの指標を送信するのにより効率的であり得る。したがって、干渉ｅＮＢ３１０は、動的なネットワーク支援シグナリングが有効であるか否かを、Ｘ２インタフェースを介してサービングｅＮＢ３２０に示してよく、サービングｅＮＢ３２０は、動的ネットワーク支援スケジューリングが有効であるか否かを（例えば、ＭＩＢ、ＳＩＢ及び／又は同様のものを用いて）ＵＥ３３０に通知してよい。
【００３４】
干渉ｅＮＢ３１０とＵＥ３３０との間の支援シグナリングを低減するべく、ＵＥ３３０は、全ての利用可能なサブバンド全体よりも小さい一部にスケジューリングされることのみに制限されてよい。干渉ｅＮＢ３１０は、どのサブバンドをＵＥ３３０が制限するべきかを決定してよい。干渉ｅＮＢ３１０は、どのサブバンドがサービングｅＮＢ３２０に対して選択されていたかを示してよい。サービングｅＮＢ３２０は、スケジューリング情報をＵＥ３３０に提供してよく、スケジューリング情報は、干渉ｅＮＢ３１０により選択された複数の制限に従ってよい。干渉ｅＮＢ３１０は、複数のサブバンドが利用可能な帯域幅全体を通じて分散されるように、複数のサブバンドを選択するように構成されてよい。加えて、サービングｅＮＢ３２０は、チャネル周波数ダイバーシチを活用するべく、選択された複数のサブバンドに対して、フレーム間周波数ホッピング及び／又はスタガリングを用いてＵＥ３３０をスケジューリングしてよい。
【００３５】
図４は、ｅＮＢと通信するＵＥにより用いられ得る時間周波数無線リソース４００の概略図である。時間周波数無線リソース４００は、例示的な目的のために多くの実施形態に対して、簡略化されている。時間周波数無線リソース４００は、複数の時間周波数リソースブロック４０１、４０２を含んでよく、ＵＥとｅＮＢとの間の通信に割り当てられるのに利用可能であってよい。例示された実施形態において、ＵＥに対して割り当てられる複数のリソースブロックは、黒（例えば、リソースブロック４０１）であり、ＵＥに対して利用可能でない複数のリソースブロックは、白（例えば、リソースブロック４０２）である。
【００３６】
時間周波数無線リソース４００の周波数成分は、複数のサブバンド４１０、４２０に分割されてよい。ＵＥは、いくつかのサブバンド（例えば、サブバンド４１０）に複数の時間周波数リソースが割り当てられるだけでよく、他のサブバンド（例えば、サブバンド４２０）上に複数の時間周波数リソースが割り当てられることから制限されてよい。サブバンドの制限にもかかわらず、ＵＥに割り当てられる複数の時間周波数リソースブロック４０１は、周波数スペクトルを通じて分散されてよく、ＵＥは、時間周波数スペクトル４００を利用可能なスペクトルダイバーシチの利益を受け取ってよい。例示された実施形態において、複数のサブバンド４１０は、均一に分散されるが、それらは、他の実施形態において利用可能な周波数スペクトル全体を通じて依然として分散される一方、不均一に分散されてよい。
【００３７】
図５は、ＩＣを実行するために、ネットワーク支援シグナリングを受信するための方法５００のフロー図である。方法５００は、動的なネットワーク支援シグナリングがアクティブか否かの指標を受信すること５０２で開始してよい。指標は、干渉ｅＮＢから受信してよく、及び／又は、サービングｅＮＢから受信してよい。指標は、ＰＤＳＣＨで送信されるＭＩＢ及び／又はＳＩＢ内のようなＰＢＣＨ内に含まれてよい。いくつかの実施形態において、指標は、ネットワーク支援シグナリングが送信されたことを示す第１の値と、ネットワーク支援シグナリングが送信されていないことを示す第２の値とを有する単一ビットであってよい。ネットワーク支援シグナリングが送信されていない場合、方法５００は、終了してよく、及び／又は、指標を受信すること５０２は、支援シグナリングが送信されるまで繰り返されてよい。
【００３８】
割り当てられる複数の時間周波数ブロックの指標は、例えば、サービングｅＮＢから受信５０４されてよい。割り当てられる複数の時間周波数ブロックは、支援シグナリングのサイズを低減する及び／又は干渉を低減するべく、予め定められた複数のサブバンドのセットについて制限されてよい。複数の送信パラメータの複数の指標を含むブロードキャストメッセージが受信されてよい。ブロードキャストメッセージは、複数の干渉ブロックに対する複数の送信パラメータを決定するべく、デコード５０６されてよい。複数の送信パラメータは、割り当てられた複数のブロックと干渉し得る複数の時間周波数ブロックに対する複数のＵＥ固有の送信パラメータ及び／又は複数のセル固有のパラメータを含んでよい。いくつかの送信パラメータは、上位レイヤシグナリングを介して送信されてよい。
【００３９】
複数の送信パラメータは、干渉ｅＮＢからの信号がデコード５０８されることを許可してよい。いくつかの実施形態において、信号は、シンボルレベルに対して復調されてよいが、（例えば、ターボ受信機を用いた）誤り訂正は、適用されなくてよい。代替的に、信号は、コードワードレベルに対してデコードされてよく、デコードされることは、（例えば、ターボ受信機を用いた）誤り訂正を実行することを含む。干渉ｅＮＢからの干渉は、サービングｅＮＢから受信した信号からキャンセル５１０されてよい。干渉は、デコードされた複数のシンボル及び／又は複数のコードワードを調節し、推定されたチャネル応答を適用し、信号からの結果を差し引くことによりキャンセル５１０されてよい。干渉がキャンセルされたサービングセルからの信号は、サービングセルからの信号の内容を取得するべく、デコード５１２されてよい。
【００４０】
図６は、ＵＥ、移動局（ＭＳ）、モバイル無線デバイス、モバイル通信デバイス、タブレット、ハンドセット又は他のタイプの無線通信デバイスのような、モバイルデバイスの図例である。モバイルデバイスは、基地局（ＢＳ）、ｅＮＢ、ベースバンドユニット（ＢＢＵ）、遠隔無線ヘッド（ＲＲＨ）、遠隔無線機器（ＲＲＥ）、リレーステーション（ＲＳ）、無線機器（ＲＥ）又は他のタイプの無線ワイドエリアネットワーク（ＷＷＡＮ）アクセスポイントのような、送信局と通信するように構成される１又は複数のアンテナを含み得る。モバイルデバイスは、３ＧＰＰ  ＬＴＥ、ＷｉＭＡＸ（登録商標）、ｈｉｇｈ  ｓｐｅｅｄ  ｐａｃｋｅｔ  ａｃｃｅｓｓ（ＨＳＰＡ）、Ｂｌｕｅｔｏｏｔｈ（登録商標）及びＷｉ−Ｆｉ（登録商標）を含む少なくとも１つの無線通信規格を用いて通信するように構成され得る。モバイルデバイスは、各無線通信規格用の別個の複数のアンテナ又は複数の無線通信規格用の共有の複数のアンテナを用いて通信できる。モバイルデバイスは、無線ローカルエリアネットワーク（ＷＬＡＮ）、無線パーソナルエリアネットワーク（ＷＰＡＮ）及び／又はＷＷＡＮにおいて通信できる。
【００４１】
図６は、オーディオ入力及びモバイルデバイスからの出力に用いられ得るマイク、及び、１又は複数のスピーカの図を提供もする。ディスプレイ画面は、液晶ディスプレイ（ＬＣＤ）画面、又は、有機発光ダイオード（ＯＬＥＤ）ディスプレイのような他のタイプのディスプレイ画面であってよい。ディスプレイ画面は、タッチスクリーンとして構成されてよい。タッチスクリーンは、静電容量方式、抵抗方式又は他のタイプタッチスクリーン技術を用いてよい。アプリケーションプロセッサ及びグラフィクプロセッサは、処理及びディスプレイ性能を提供すべく、内部メモリに結合され得る。不揮発性メモリポートは、複数のデータ入力／出力オプションをユーザに提供するために用いられることもできる。不揮発性メモリポートは、モバイルデバイスのメモリ性能を拡張するために用いられることもできる。キーボードは、追加のユーザ入力を提供するべく、モバイルデバイスに統合されてよく、又はモバイルデバイスに無線で接続されてよい。仮想キーボードがタッチスクリーンを用いて提供されてもよい。
【００４２】
例
以下の複数の例は、更なる複数の実施形態に関する。
【００４３】
例１は、ｅＵＴＲＡＮと通信するように構成されるＵＥである。ＵＥは、送受信機を含む。ＵＥは、送受信機に結合されるプロセッサも含む。プロセッサは、干渉ｅＮＢと通信する１又は複数のＵＥに対する複数の送信パラメータの複数の指標を含むブロードキャストメッセージを受信するように構成される。プロセッサは、サービングｅＮＢからの送信を含む信号を受信するようにも構成される。送信は、サービングｅＮＢからのＰＤＳＣＨを含む。プロセッサは、複数の送信パラメータに基づいて、信号から、干渉ｅＮＢからのＰＤＳＣＨをキャンセルするようにも構成される。送信パラメータの複数の指標は、干渉ｅＮＢにより準静的及び動的に１又は複数のＵＥにシグナリングもされる。
【００４４】
例２において、例１のプロセッサは、専用のＲＲＣメッセージを介して、干渉ｅＮＢと通信する１又は複数のＵＥに対する複数の追加的な送信パラメータ、及び／又は、干渉ｅＮＢに関連する複数のパラメータを受信するように構成される。
【００４５】
例３において、例１−２のいずれかの複数の追加的な送信パラメータは、協働する可能性のある送信及び／又は受信ポイントに関連する複数のセルアイデンティティのセットを含む。
【００４６】
例４において、例１−３のいずれかの干渉ｅＮＢに関連する複数のパラメータは、セル固有の送信電力パラメータを含む。
【００４７】
例５において、例１−４のいずれかの複数の送信パラメータは、変調次数、ＰＲＢ割り当て、ＰＭＩ、ＲＩ、ＭＣＳ及び冗長バージョンを含む。変調次数は、圧縮バイナリコードにより示される。
【００４８】
例６において、例１−５のいずれかの複数の送信パラメータは、複数の基準信号固有の送信パラメータを含む。
【００４９】
例７において、例１−６のいずれかのプロセッサは、干渉ｅＮＢ及びサービングｅＮＢのうちの少なくとも一方から、干渉ｅＮＢが複数の送信パラメータを送信するか否かの指標を受信するように構成される。
【００５０】
例８において、例１−７のいずれかのプロセッサは、サービングｅＮＢと通信する複数のＲＢの指標を受信するように構成される。複数のＲＢは、全ての可能なサブバンドよりも小さい複数のサブバンドのセットに制限される。
【００５１】
例９において、例１−８のいずれかの制限された複数のサブバンドのセットは、利用可能な帯域幅全体にわたって分散される。
【００５２】
例１０において、例１−９のいずれかのプロセッサは、シンボルレベルキャンセルを用いて、干渉ｅＮＢに関連するＰＤＳＣＨをキャンセルするように構成される。
【００５３】
例１１は、支援シグナリングを受信するための方法である。方法は、第１の基地局に通信可能に結合する段階を含む。方法は、第２の基地局から複数の結合パラメータを受信する段階も含む。複数の結合パラメータは、第２の基地局と通信するときに、無線通信デバイスにより用いられる複数の設定を示す。方法は、無線通信デバイスの複数の結合パラメータに従って、複数の他の通信からの干渉を取り除くべく、第１の基地局からの複数の通信を修正する段階も含む。
【００５４】
例１２において、例１１の方法は、複数の追加的な結合パラメータを示す上位レベルシグナリングを受信する段階を含む。
【００５５】
例１３において、例１１−１２のいずれかの複数の結合パラメータを受信する段階は、無線通信デバイスに固有の電力パラメータを受信する段階を含む。
【００５６】
例１４において、例１１−１３のいずれかの複数の結合パラメータを受信する段階は、複数の仮想リソースブロック割り当てが局在するか又は分散するかの指標を受信する段階を含む。
【００５７】
例１５において、例１１−１４のいずれかの複数の結合パラメータを受信する段階は、送信方式の指標を受信する段階を含む。
【００５８】
例１６において、例１１−１５のいずれかの方法は、第２の基地局から、第２の基地局が複数の結合パラメータを送信することの指標を受信する段階を含む。
【００５９】
例１７において、例１１−１６のいずれかの方法は、第１の基地局から送信スケジュールを受信する段階を含む。送信スケジュールは、送信に利用可能な全ての周波数より少ない周波数を含む。
【００６０】
例１８は、無線通信デバイスである。無線通信デバイスは、回路を含む。回路は、複数の時間周波数ブロックに対する複数の通信設定の複数の指標を受信するように構成される。複数の指標は、下位レベルシグナリングを介して送信される。回路は、複数の通信設定を用いて複数の干渉する通信をデコードするようにも構成される。回路は、複数の干渉する通信をキャンセルすることにより、無線通信デバイスに対する複数の通信をデコードするようにも構成される。
【００６１】
例１９において、例１８の複数の通信設定の複数の指標は、総送信レイヤの指標を含む。
【００６２】
例２０において、例１８−１９のいずれかの複数の通信設定の複数の指標は、基地局基準信号に対するプリコーダの指標を含む。
【００６３】
例２１において、例１８−２０のいずれかの複数の通信設定の複数の指標は、複数の時間周波数ブロック間のギャップの指標を含む。
【００６４】
例２２において、例１８−２１のいずれかの回路は、複数の通信設定が送信されたか否かの指標を含むブロードキャストを受信するように構成される。
【００６５】
例２３において、例１８−２２のいずれかの回路は、上位レイヤメッセージを介してセル固有の電力パラメータを受信するように構成される。
【００６６】
例２４は、支援シグナリングを受信するための方法である。方法は、干渉ｅＮＢに関連するＰＤＳＣＨのＲＢに対する複数の送信パラメータを含むブロードキャストメッセージを受信する段階を含む。方法は、サービングｅＮＢからの送信を含む信号を受信する段階も含む。送信は、サービングｅＮＢからのＰＤＳＣＨを含む。方法は、複数の送信パラメータに基づく信号から、干渉ｅＮＢに関連するＰＤＳＣＨをキャンセルする段階も含む。
【００６７】
例２５において、例２４の方法は、ＲＲＣメッセージを介して、干渉ｅＮＢに関連するＰＤＳＣＨのＲＢに対する複数の追加的な送信パラメータを受信する段階を含む。
【００６８】
例２６において、例２４−２５のいずれかの複数の送信パラメータは、変調次数を含む。変調次数は、圧縮バイナリコードにより示される。
【００６９】
例２７において、例２４−２６のいずれかの複数の送信パラメータは、複数の基準信号送信パラメータを含む。
【００７０】
例２８において、例２４−２７のいずれかの方法は、干渉ｅＮＢから、干渉ｅＮＢが複数の送信パラメータを送信するか否かの指標を受信する段階を含む。
【００７１】
例２９において、例２４−２８のいずれかの方法は、サービングｅＮＢと通信する複数のＲＢの指標を受信する段階を含む。複数のＲＢは、全ての可能なサブバンドよりも小さい複数のサブバンドのセットに制限される。
【００７２】
例３０において、例２４−２９のいずれかの制限された複数のサブバンドのセットは、利用可能な帯域幅全体にわたって分散される。
【００７３】
例３１において、例２４−３０のいずれかの干渉ｅＮＢに関連するＰＤＳＣＨをキャンセルする段階は、シンボルレベルキャンセルを用いて、干渉ｅＮＢに関連するＰＤＳＣＨをキャンセルする段階を含む。
【００７４】
例３２において、例２４−３１のいずれかの複数の送信パラメータは、電力パラメータを含む。
【００７５】
例３３において、例２４−３２のいずれかの複数の送信パラメータは、送信方式の指標を含む。
【００７６】
例３４において、例２４−３３のいずれかの複数の送信パラメータは、複数の仮想リソースブロック割り当てが局在する又は分散するかの指標を含む。
【００７７】
例３５において、例２４−３４のいずれかの複数の送信パラメータは、総送信レイヤの指標を含む。
【００７８】
例３６において、例２４−３５のいずれかの複数の送信パラメータは、セル固有の基準信号（ＣＲＳ）に対するプリコーダの指標を含む。
【００７９】
例３７は、任意の先行の例において説明されたような方法を実行する手段を含む装置である。
【００８０】
例３８は、複数の機械可読命令を含む機械可読記憶装置であり、実行されたときに、任意の先行の例において説明されたような方法を実装し、又は装置を実現する。
【００８１】
様々な技術、又は特定の態様又はこれらの一部は、フロッピー（登録商標）ディスク、ＣＤ−ＲＯＭ、ハードドライブ、非一時的コンピュータ可読記憶媒体、又は、任意の他の機械可読記憶媒体のような有形の媒体において具現化されるプログラムコード（つまり、命令）の形式を利用よく、プログラムコードが、コンピュータのようなマシンにロードされ、かつ、当該マシンにより実行されるときに、マシンは、様々な技術を実行するための装置となる。プログラマブルコンピュータ上でのプログラムコード実行の場合、コンピューティングデバイスは、プロセッサ、プロセッサにより読み取り可能な記憶媒体（揮発性メモリ及び不揮発性メモリ及び／又は記憶要素を含む）、少なくとも１つ入力デバイス及び少なくとも１つ出力デバイスを含んでよい。揮発性メモリ及び不揮発性メモリ、及び／又は、記憶要素は、ＲＡＭ、ＥＰＲＯＭ、フラッシュドライブ、光学ドライブ、磁気ハードドライブ、又は、電子データを格納するための他の媒体であってよい。ｅＮＢ（又は他の基地局）及びＵＥ（又は他の移動局）は、送受信機コンポーネント、カウンタコンポーネント、処理コンポーネント、及び／又は、クロックコンポーネント又はタイマーコンポーネントを含んでもよい。本明細書で説明された様々な技術に実装され、又は使用し得る１又は複数のプログラムは、アプリケーションプログラミングインタフェース（ＡＰＩ）、リユーザブル制御及び同様のものを用いてよい。そのようなプログラムは、コンピュータシステムと通信すべく、高水準手続き型又はオブジェクト指向型のプログラミング言語で実装されてよい。しかし、所望の場合、（複数の）プログラムは、アセンブリ又はマシン言語で実装されてよい。いずれの場合であっても、言語は、コンパイル又は解釈された言語であってよく、複数のハードウェア実装と組み合わせられてよい。
【００８２】
本明細書において説明された多くの機能ユニットが、１又は複数のコンポーネントとして実装されてよいことが理解されるべきであり、多くの機能ユニットは、それらの実装の独立性をより具体的に強調するために用いられる用語である。例えば、コンポーネントは、カスタムの超大規模集積（ＶＬＳＩ）回路又はゲートアレイ、ロジックチップのような既製の半導体、トランジスタ又は他の別個のコンポーネントを有するハードウェア回路として実装されてよい。コンポーネントは、フィールドプログラマブルゲートアレイ、プログラマブルアレイロジック、プログラマブルロジックデバイス、又は、同様のもののようなプログラマブルハードウェアデバイスに実装されてもよい。
【００８３】
コンポーネントは、様々なタイプのプロセッサによる実行のためのソフトウェアに実装されてもよい。実行可能なコードの特定のコンポーネントは、例えば、コンピュータ命令の１又は複数の物理又は論理ブロックを備えてよく、例えば、オブジェクト、プロシージャ又は関数として体系化されてよい。それでもなお、特定のコンポーネントの実行ファイルは、共に物理的に位置付けられる必要はないが、共に論理的に結び付けられるときに、コンポーネントを備え、かつ、そのコンポーネントについて定められた目的を実現する、コンポーネントの異なる位置に格納される異なる命令を備えてよい。
【００８４】
実際、実行可能なコードのコンポーネントは、単一の命令、又は多く命令であってよく、更には、いくつかの異なるコードセグメントにわたって、異なるプログラムの間で、及びいくつかのメモリデバイスを跨いで分散され得る。同様に、処理データは、コンポーネント内に本明細書で特定されて示されてよく、任意の適切な形式で具現化され及び任意の適切なタイプのデータ構造内で体系化されてよい。処理データは、単一のデータセットとして収集されてよく、又は、異なる記憶デバイスにわたることを含む異なる位置にわたって分散されてよく、単にシステム又はネットワーク上の電子信号として、少なくとも部分的に、存在してよい。コンポーネントは、受動的又は能動的であってよく、所望の機能を実行するように動作可能なエージェントを含む。
【００８５】
「例」に対する本明細書を通じた言及は、当該例に関連して説明された特定の特徴、構造又は特性が、本開示の少なくとも１つの実施形態に含まれることを意味する。したがって、本明細書を通じて、様々な個所における「例において」という表現の出現は、必ずしも全て同一の実施形態を参照するわけではない。
【００８６】
本明細書で用いられるように、複数のアイテム、構造的要素、構成要素、及び／又は、材料は、便宜上、共通のリストに提示され得る。しかし、これらのリストは、リストの各部材が、別個かつ一意の部材として個別に特定されるかのように解釈されるべきである。したがって、そのようなリストの個々の部材は、それとは反対の指標がない限り、共通のグループにおけるそれの提示に専ら基づいて、同一のリストの任意の他の部材の事実上の均等物として解釈されるべきではない。加えて、本開示の様々な実施形態及び例は、これらの様々なコンポーネントの代替例と共に、本明細書において参照されてよい。そのような実施形態、例、代替例は、互いの事実上の均等物として解釈されないが、本開示の別個かつ自律的な表現としてみなされるべきであることが理解される。
【００８７】
上記は、明確性の目的のためにいくつか詳細に説明されてきたが、特定の変更及び改良がこれらの原理から逸脱することなく行われ得ることが明らかだろう。本明細書で説明された処理及び装置の両方を実装する多くの代替的な方法があることに留意されるべきである。したがって、本実施形態は、例示的なものであって、かつ、限定的なものではないとみなされるべきであり、開示は、本明細書で与えられた詳細に限定されるべきでないが、添付の特許請求の範囲の範囲内及び均等物の範囲内で変更されてよい。
【００８８】
これらは、当該技術分野における当業者は、多くの変更が開示の根本的な原理から逸脱することなく上記の説明された実施形態の詳細に対して行われることを理解されたい。したがって、本願の範囲は、以下の特許請求の範囲によってのみ判断されるべきである。
【図１】
0006263828.tif 000008
【図２】
0006263828.tif 000009
【図３】
0006263828.tif 000010
【図４】
0006263828.tif 000011
【図５】
0006263828.tif 000012
【図６】
0006263828.tif 000013